(57)【要約】【課題】画素の配列を改善して、各画素当たり対応するアドレス電極の個数を減少可能なプラズマ表示パネルを提供する。【解決手段】三つの副画素を各々に有する複数の画素１２０を含み、三つの副画素の各々の中心が三角形を形成して、三角形の一辺が表示画像の垂直方向と同一な方向である、表示装置を駆動する方法において、少なくとも一つの画素を含み、垂直方向と同一な方向の黒垂直線または白垂直線が表示される場合に、黒垂直線または白垂直線に隣接する左側画素である第１画素の画像信号データをシアンまたはマゼンタ傾向を帯びた画像信号データに変換する段階と、黒垂直線または白垂直線が表示される場合に、黒垂直線または白垂直線に隣接する右側画素である第２画素の画像信号データをシアンまたはマゼンタ傾向を帯びた画像信号データに変換する段階と、変換された画像信号データを表示装置に表示する段階と、を含む。【選択図】図９
2007323066.tif 000002
【特許請求の範囲】
【請求項１】
三つの副画素を各々に有する複数の画素を含み、前記三つの副画素の各々の中心が三角形を形成して、前記三角形の一辺が表示画像の垂直方向と同一な方向である、表示装置を駆動する方法において、
少なくとも一つの画素を含み、前記垂直方向と同一な方向の黒垂直線または白垂直線が表示される場合に、前記黒垂直線または前記白垂直線に隣接する左側画素である第１画素の画像信号データをシアンまたはマゼンタ傾向を帯びた画像信号データに変換する段階と、
前記黒垂直線または前記白垂直線が表示される場合に、前記黒垂直線または前記白垂直線に隣接する右側画素である第２画素の画像信号データをシアンまたはマゼンタ傾向を帯びた画像信号データに変換する段階と、
前記変換された画像信号データを前記表示装置に表示する段階と、
を含むことを特徴とする、表示装置の駆動方法。
【請求項２】
前記第１画素の画像信号データを変換する段階は、前記第１画素が複数の画素である場合に、シアン傾向を帯びた画像信号データおよびマゼンタ傾向を帯びた画像信号データが交互に配列されるように前記第１画素の画像信号データを変換する段階を含むことを特徴とする、請求項１に記載の表示装置の駆動方法。
【請求項３】
前記第２画素の画像信号データを変換する段階は、前記第２画素が複数の画素である場合に、シアン傾向を帯びた画像信号データおよびマゼンタ傾向を帯びた画像信号データが交互に配列されるように前記第２画素の画像信号データを変換する段階を含むことを特徴とする、請求項２に記載の表示装置の駆動方法。
【請求項４】
前記第１画素のうちの所定の画素の画像信号データがシアン傾向を帯びた画像信号データに変換された場合に、前記第２画素のうちの前記所定の画素と水平方向にある画素は、マゼンタ傾向を帯びた画像信号データに変換されることを特徴とする、請求項３に記載の表示装置の駆動方法。
【請求項５】
少なくとも一つの画素を含み、前記垂直方向と交差する水平方向の黒水平線または白水平線が表示される場合に、前記黒水平線または前記白水平線に隣接する左側画素の画像信号データをマゼンタ傾向を帯びた画像信号データに変換し、前記黒水平線または前記白水平線に隣接する右側画素の画像信号データをシアン傾向を帯びた画像信号データに変換する段階をさらに含むことを特徴とする、請求項１に記載の表示装置の駆動方法。
【請求項６】
前記シアン傾向を帯びた画像信号データは、元来の画像信号データを基準として緑色副画素の画像信号データの変化量が赤色および青色副画素の画像信号データの変化量の平均より小さいことを特徴とする、請求項１〜５のいずれか一項に記載の表示装置の駆動方法。
【請求項７】
前記マゼンタ傾向を帯びた画像信号データは、元来の画像信号データを基準として緑色副画素の画像信号データの変化量が赤色および青色副画素の画像信号データの変化量の平均より大きいことを特徴とする、請求項１〜５のいずれか一項に記載の表示装置の駆動方法。
【請求項８】
前記第１画素の画像信号データを変換する段階は、前記第１画素に隣接する左右側画素の画像信号データを前記第１画素の画像信号データに反映して、前記第１画素の画像信号データを変換する段階を含み、
前記第２画素の画像信号データを変換する段階は、前記第２画素に隣接する左右側画素の画像信号データを前記第２画素の画像信号データに反映して、前記第２画素の画像信号データを変換する段階を含むことを特徴とする、請求項１〜５のいずれか一項に記載の表示装置の駆動方法。
【請求項９】
前記黒垂直線または前記白垂直線に対応する画素の画像信号データは、元来の画像信号データであることを特徴とする、請求項８に記載の表示装置の駆動方法。
【請求項１０】
前記表示装置は、各副画素を定義する複数の行電極および複数の列電極をさらに含み、
前記三つの副画素のうちの二つが同一な列電極に対応し、前記各画素が各画素別に３／２個の行電極に対応することを特徴とする、請求項１〜５のいずれか一項に記載の表示装置の駆動方法。
【請求項１１】
前記三つの副画素に配列される２個の列電極のうちの一つの列電極は、列方向に隣接する二つの副画素を通過するように配列され、残りの一つの列電極は、残りの副画素を通過するように配列されることを特徴とする、請求項１０に記載の表示装置の駆動方法。
【請求項１２】
前記複数の画素が行方向に連続してｎ個配列され、列方向に連続してｎ個配列される場合に、前記複数の列電極の個数および前記複数の行電極の個数は、列電極の個数：行電極の個数＝４：３の比となることを特徴とする、請求項１０に記載の表示装置の駆動方法。
【請求項１３】
前記黒垂直線は、周辺の画素の明るさより暗い画素を含む垂直線であり、前記白垂直線は、周辺の画素の明るさより明るい画素を含む垂直線であることを特徴とする、請求項１〜５のいずれか一項に記載の表示装置の駆動方法。
【請求項１４】
三つの副画素を各々に有する複数の画素を含み、前記三つの副画素の各々の中心が三角形を形成して、前記三角形の一辺が表示画像の垂直方向と同一な方向である、表示装置を駆動する方法において、
各画素別に隣接する左右側画素の画像信号データを反映して、各画素の画像信号データを各々に変換する段階と、
各画素別に副画素間の分散である第１分散を計算する段階と、
前記変換された画像信号データを利用して、各画素別に副画素間の分散である第２分散を計算する段階と、
同一な画素間で前記第１分散および前記第２分散が同一である場合または前記第２分散が前記第１分散より小さい場合に、当該画素の画像信号データを元来の画像信号データに再変換する段階と、
を含むことを特徴とする、表示装置の駆動方法。
【請求項１５】
前記副画素間の分散は、前記三つの副画素の画像信号データを利用して計算された分散であることを特徴とする、請求項１４に記載の表示装置の駆動方法。
【請求項１６】
前記各画素の画像信号データを各々に変換する段階は、隣接する左右側画素の前記三つの副画素を前記各画素の副画素に同一な色に関して所定の比率で反映して、前記各画素の画像信号データを変換する段階を含むことを特徴とする、請求項１４に記載の表示装置の駆動方法。
【請求項１７】
少なくとも一つの画素を含み、前記垂直方向と同一な方向の黒垂直線または白垂直線が表示される場合に、前記各画素の画像信号データを各々に変換する段階によって、前記黒垂直線または前記白垂直線に隣接する左右側画素の画像信号データがシアンまたはマゼンタ傾向を帯びた画像信号データに変換されることを特徴とする、請求項１４に記載の表示装置の駆動方法。
【請求項１８】
前記元来の画像信号データに再変換する段階によって、前記黒垂直線または前記白垂直線に対応する画素の画像信号データが元来の画像信号データに再変換されることを特徴とする、請求項１７に記載の表示装置の駆動方法。
【請求項１９】
前記表示装置は、各副画素を定義する複数の行電極および複数の列電極をさらに含み、
前記三つの副画素のうちの二つが同一な列電極に対応し、前記各画素が各画素別に３／２個の行電極に対応することを特徴とする、請求項１４に記載の表示装置の駆動方法。
【請求項２０】
前記三つの副画素に配列される２個の列電極のうちの一つの列電極は、列方向に隣接する二つの副画素を通過するように配列され、残りの一つの列電極は、残りの副画素を通過するように配列されることを特徴とする、請求項１９に記載の表示装置の駆動方法。
【請求項２１】
複数の行電極、前記複数の行電極と交差する方向に形成される複数の列電極、および前記複数の行電極および前記複数の列電極によって各々に定義される複数の画素を含み、前記複数の画素の各々は、中心が三角形を形成する三つの副画素を含み、前記三角形の一辺が前記列電極がのびている第１方向である、表示パネルと、
入力される画像信号データから前記複数の行電極および前記複数の列電極の駆動を制御する制御信号を生成する制御部と、
前記制御信号によって前記複数の行電極および前記複数の列電極を駆動する駆動部と、
を備え、
前記制御部は、少なくとも一つの画素を含み、前記第１方向と同一な方向の黒垂直線が表示される場合に、黒垂直線に隣接する左右側画素の画像信号データをシアンまたはマゼンタ傾向を帯びた画像信号データに変換することを特徴とする、表示装置。
【請求項２２】
前記制御部は、
前記黒垂直線に隣接する左側画素にシアン傾向を帯びた画像信号データおよびマゼンタ傾向を帯びた画像信号データが交互に配列されるように前記左側画素の画像信号データを変換し、
前記黒垂直線に隣接する右側画素にマゼンタ傾向を帯びた画像信号データおよびシアン傾向を帯びた画像信号データが交互に配列されるように前記右側画素の画像信号データを変換することを特徴とする、請求項２１に記載の表示装置。
【請求項２３】
前記制御部は、少なくとも一つの画素を含み、前記第１方向と同一な方向の白垂直線が表示される場合に、前記白垂直線に隣接する左右側画素の画像信号データをシアンまたはマゼンタ傾向を帯びた画像信号データに変換することを特徴とする、請求項２１に記載の表示装置。
【請求項２４】
前記制御部は、
前記白垂直線に隣接する左側画素にマゼンタ傾向を帯びた画像信号データおよびシアン傾向を帯びた画像信号データが交互に配列されるように前記左側画素の画像信号データを変換し、
前記白垂直線に隣接する右側画素にシアン傾向を帯びた画像信号データおよびマゼンタ傾向を帯びた画像信号データが交互に配列されるように前記右側画素の画像信号データを変換することを特徴とする、請求項２３に記載の表示装置。
【請求項２５】
前記制御部は、少なくとも一つの画素を含み、前記第１方向と交差する方向の黒水平線または白水平線が表示される場合に、前記黒水平線または前記白水平線に隣接する左側画素の画像信号データをマゼンタ傾向を帯びた画像信号データに変換し、前記黒水平線または前記白水平線に隣接する右側画素の画像信号データをシアン傾向を帯びた画像信号データに変換することを特徴とする、請求項２１に記載の表示装置。
【請求項２６】
前記シアン傾向を帯びた画像信号データは、元来の画像信号データを基準として緑色副画素の画像信号データの変化量が赤色および青色副画素の画像信号データの変化量の平均より小さく、
前記マゼンタ傾向を帯びた画像信号データは、元来の画像信号データを基準として緑色副画素の画像信号データの変化量が赤色および青色副画素の画像信号データの変化量の平均より大きいことを特徴とする、請求項２１〜２５のいずれか一項に記載の表示装置。
【請求項２７】
前記制御部は、
各画素別に隣接する左右側画素の画像信号データを反映して、各画素の画像信号データを各々に変換するレンダリング処理部と、
前記入力される画像信号データを利用して、各画素別に前記三つの副画素間の分散である第１分散を計算し、前記レンダリング処理部によって変換された画像信号データを利用して、各画素別に副画素間の分散である第２分散を計算して、同一な画素間で前記第１分散および前記第２分散が同一である場合または前記第２分散が前記第１分散より小さい場合に、前記レンダリング処理部によって変換された画像信号データを元来の画像信号データに再変換するフィードバック処理部と、
を備えることを特徴とする、請求項２１〜２５のいずれか一項に記載の表示装置。
【請求項２８】
前記フィードバック処理部によって、前記黒垂直線および前記白垂直線に対応する画素の画像信号データが元来の画像信号データに再変換されることを特徴とする、請求項２７に記載の表示装置。
【請求項２９】
前記黒垂直線は、周辺の画素の明るさより暗い画素を含むことを特徴とする、請求項２１または２２に記載の表示装置。
【請求項３０】
前記白垂直線は、周辺の画素の明るさより明るい画素を含むことを特徴とする、請求項２３または２４に記載の表示装置。
【請求項３１】
前記三つの副画素うちの二つが同一な列電極に対応し、前記各画素が各画素別に３／２個の行電極に対応することを特徴とする、請求項２１〜２５のいずれか一項に記載の表示装置。
【請求項３２】
前記三つの副画素に配列される２個の列電極のうちの一つの列電極は、列方向に隣接する二つの副画素を通過するように配列され、残りの一つの列電極は、残りの副画素を通過するように配列されることを特徴とする、請求項３１に記載の表示装置。
【請求項３３】
前記複数の画素が行方向に連続してｎ個配列され、列方向に連続してｎ個配列される場合に、前記複数の列電極の個数および前記複数の行電極の個数は、列電極の個数：行電極の個数＝４：３の比となることを特徴とする、請求項３１に記載の表示装置。
【請求項３４】
前記各副画素は、平面形状が六角形であることを特徴とする、請求項３１に記載の表示装置。
【請求項３５】
前記各副画素は、平面形状が長方形であることを特徴とする、請求項３１に記載の表示装置。
【発明の詳細な説明】
【技術分野】
【０００１】
本発明は、表示装置およびその駆動方法に関し、特に、プラズマ表示パネルを含むプラズマ表示装置およびその駆動方法に関する。
【背景技術】
【０００２】
プラズマ表示装置は、気体放電によって生成されたプラズマを利用して文字または画像を表示する、プラズマ表示パネルを利用した表示装置である。
【０００３】
このプラズマ表示パネルは、６０インチ以上の超大型画面をわずか１０ｃｍ以内の厚さで実現することができ、ＣＲＴ（Ｃａｔｈｏｄｅ  Ｒａｙ  Ｔｕｂｅ）のような自発光表示素子を用いて、色再現力に優れ、視野角によるわい曲現象を伴わないという特性がある。
【０００４】
プラズマ表示パネルには、３電極面放電型プラズマ表示パネルがある。この３電極面放電型プラズマ表示パネルは、同一面上に位置する維持電極および走査電極を含む基板と、この基板から一定の距離をおいて離隔して、垂直方向に連結されるアドレス電極を含む他の基板とからなり、両基板の間に放電ガスが封入されている。
【０００５】
このプラズマ表示パネルにおいて、放電の有無は、各ラインに連結されて独立的に制御される走査電極およびアドレス電極の放電によって決定され、画面を表示する維持放電が同一面上に位置する維持電極および走査電極によって構成される。
【０００６】
図１および図２は各々従来のプラズマ表示パネルの画素および電極の配列を示した平面図である。図１はストライプ型隔壁構造を有するプラズマ表示パネルを示し、図２はデルタ型隔壁構造を有するプラズマ表示パネルを示している。
【０００７】
図１に示したように、ストライプ型隔壁構造を有するプラズマ表示パネルにおいて、放電セルは、放電ギャップを形成して、互いに対向する維持電極（Ｘｉ〜Ｘｉ＋３）および走査電極（Ｙｉ〜Ｙｉ＋３）の間に形成される。
【０００８】
一つの画素（ｐｉｘｅｌ）６１は、放電セルのうちの互いに隣接する赤色、緑色、および青色の放電セル（６１Ｒ、６１Ｇ、６１Ｂ）、つまり三つの副画素（ｓｕｂ  ｐｉｘｅｌ）から構成される。この時、アドレス電極６５は、一つの画素６１を構成する放電セル（６１Ｒ、６１Ｇ、６１Ｂ）の各々を通過するように形成される。
【０００９】
したがって、図１に示したように、１６個の画素６１を考慮する時、各画素６１当たり３個ずつ、総計で１２個のアドレス電極６５（Ａｊ〜Ａｊ＋１１）が必要となる。しかし、プラズマ表示パネルが次第に高解像度化するに伴って放電セルを高集積させる場合、各放電セルを通過するアドレス電極６５が次第に近づくようになり、それによって、隣接するアドレス電極間のキャパシタンス（Ｃ）値が増加して、必然的にエネルギー（＝ＣＶ２ｆ）の消費が増加することになる。
【００１０】
また、図２に示したように、デルタ型隔壁構造を有するプラズマ表示パネルにおいて、放電セルは、隔壁によって独立的な空間に区画され、一つの画素７１は、このような放電セルのうちの三角形を形成して互いに隣接するように配列される赤色、緑色、および青色の放電セル（７１Ｒ、７１Ｇ、７１Ｂ）から構成される。この時、アドレス電極７５は、一つの画素７１を構成する放電セル（７１Ｒ、７１Ｇ、７１Ｂ）の各々を通過するように形成される。
【００１１】
この場合にも、図２に示したように、１６個の画素７１を考慮する時、各画素７１当たり３個ずつ、総計で１２個のアドレス電極７５（Ａｊ〜Ａｊ＋１１）が必要となる。しかし、プラズマ表示パネルが次第に高解像度化するに伴って放電セルを高集積させる場合、各放電セルを通過するアドレス電極７５が次第に近づくようになり、それによって、隣接するアドレス電極間のキャパシタンス（Ｃ）値が増加して、必然的にエネルギー（＝ＣＶ２ｆ）の消費が増加することになる。
【発明の開示】
【発明が解決しようとする課題】
【００１２】
本発明は上記問題点に鑑みてなされたものであり、その目的は、画素の配列を改善して、各画素当たり対応するアドレス電極の個数を減少可能な、新規かつ改良されたプラズマ表示パネルを提供することにある。
【００１３】
また、他の目的は、アドレス電極の個数を減少させたプラズマ表示パネルを含むプラズマ表示装置において、より優れた画像を実現可能な、新規かつ改良されたプラズマ表示装置の駆動方法を提供することにある。
【課題を解決するための手段】
【００１４】
上記課題を解決するために、本発明の第１の観点によれば、三つの副画素を各々に有する複数の画素を含み、三つの副画素の各々の中心が三角形を形成して、三角形の一辺が表示画像の垂直方向と同一な方向である、表示装置を駆動する方法が提供される。本駆動方法は、少なくとも一つの画素を含み、垂直方向と同一な方向の黒垂直線または白垂直線が表示される場合に、黒垂直線または白垂直線に隣接する左側画素である第１画素の画像信号データをシアンまたはマゼンタ傾向を帯びた画像信号データに変換する段階と、黒垂直線または白垂直線が表示される場合に、黒垂直線または白垂直線に隣接する右側画素である第２画素の画像信号データをシアンまたはマゼンタ傾向を帯びた画像信号データに変換する段階と、変換された画像信号データを表示装置に表示する段階と、を含む。
【００１５】
かかる方法によれば、黒垂直線または白垂直線に隣接する左右側画素の画像信号データがシアンまたはマゼンタ傾向を帯びた画像信号データに変換され、変換された画像信号データが表示装置に表示される。これにより、副画素間に互いに異なる配列が存在する場合でも、レンダリング処理による適切な補償がなされ、表示される文字の解読性を向上させることができる。
【００１６】
また、上記第１画素の画像信号データを変換する段階は、第１画素が複数の画素である場合に、シアン傾向を帯びた画像信号データおよびマゼンタ傾向を帯びた画像信号データが交互に配列されるように第１画素の画像信号データを変換する段階を含むようにしてもよい。
【００１７】
また、上記第２画素の画像信号データを変換する段階は、第２画素が複数の画素である場合に、シアン傾向を帯びた画像信号データおよびマゼンタ傾向を帯びた画像信号データが交互に配列されるように第２画素の画像信号データを変換する段階を含むようにしてもよい。
【００１８】
また、上記第１画素のうちの所定の画素の画像信号データがシアン傾向を帯びた画像信号データに変換された場合に、第２画素のうちの所定の画素と水平方向にある画素は、マゼンタ傾向を帯びた画像信号データに変換されるようにしてもよい。
【００１９】
また、少なくとも一つの画素を含み、垂直方向と交差する水平方向の黒水平線または白水平線が表示される場合に、黒水平線または白水平線に隣接する左側画素の画像信号データをマゼンタ傾向を帯びた画像信号データに変換し、黒水平線または白水平線に隣接する右側画素の画像信号データをシアン傾向を帯びた画像信号データに変換する段階をさらに含むようにしてもよい。
【００２０】
また、上記シアン傾向を帯びた画像信号データは、元来の画像信号データを基準として緑色副画素の画像信号データの変化量が赤色および青色副画素の画像信号データの変化量の平均より小さいようにしてもよい。
【００２１】
また、上記マゼンタ傾向を帯びた画像信号データは、元来の画像信号データを基準として緑色副画素の画像信号データの変化量が赤色および青色副画素の画像信号データの変化量の平均より大きいようにしてもよい。
【００２２】
また、上記第１画素の画像信号データを変換する段階は、第１画素に隣接する左右側画素の画像信号データを第１画素の画像信号データに反映して、第１画素の画像信号データを変換する段階を含み、第２画素の画像信号データを変換する段階は、第２画素に隣接する左右側画素の画像信号データを第２画素の画像信号データに反映して、第２画素の画像信号データを変換する段階を含むようにしてもよい。
【００２３】
また、上記黒垂直線または白垂直線に対応する画素の画像信号データは、元来の画像信号データであるようにしてもよい。
【００２４】
また、上記表示装置は、各副画素を定義する複数の行電極および複数の列電極をさらに含み、三つの副画素のうちの二つが同一な列電極に対応し、各画素が各画素別に３／２個の行電極に対応するようにしてもよい。
【００２５】
また、上記三つの副画素に配列される２個の列電極のうちの一つの列電極は、列方向に隣接する二つの副画素を通過するように配列され、残りの一つの列電極は、残りの副画素を通過するように配列されるようにしてもよい。
【００２６】
また、上記複数の画素が行方向に連続してｎ個配列され、列方向に連続してｎ個配列される場合に、複数の列電極の個数および複数の行電極の個数は、列電極の個数：行電極の個数＝４：３の比となるようにしてもよい。
【００２７】
また、上記黒垂直線は、周辺の画素の明るさより暗い画素を含む垂直線であり、白垂直線は、周辺の画素の明るさより明るい画素を含む垂直線であるようにしてもよい。
【００２８】
上記課題を解決するために、本発明の第２の観点によれば、三つの副画素を各々に有する複数の画素を含み、三つの副画素の各々の中心が三角形を形成して、三角形の一辺が表示画像の垂直方向と同一な方向である、表示装置を駆動する方法が提供される。本駆動方法は、各画素別に隣接する左右側画素の画像信号データを反映して、各画素の画像信号データを各々に変換する段階と、各画素別に副画素間の分散である第１分散を計算する段階と、変換された画像信号データを利用して、各画素別に副画素間の分散である第２分散を計算する段階と、同一な画素間で第１分散および第２分散が同一である場合または第２分散が第１分散より小さい場合に、当該画素の画像信号データを元来の画像信号データに再変換する段階と、を含む。
【００２９】
かかる方法によれば、各画素の画像信号データが隣接する左右側画素の画像信号データを反映して変換される。そして、まず、各画素に含まれる副画素の分散が画像信号データの変換の前後で各々に計算される。次に、変換後の画像信号データの分散が変換前の画像信号データの分散以下である場合には、当該画素の画像信号データが変換前の画像信号データに再変換される。これにより、レンダリング処理に伴い視認性が低下する場合でも、フィードバック処理による適切な補償がなされ、表示装置に表示される文字の視認性を向上させることができる。
【００３０】
また、上記副画素間の分散は、三つの副画素の画像信号データを利用して計算された分散であるようにしてもよい。
【００３１】
また、上記各画素の画像信号データを各々に変換する段階は、隣接する左右側画素の三つの副画素を各画素の副画素に同一な色に関して所定の比率で反映して、各画素の画像信号データを変換する段階を含むようにしてもよい。
【００３２】
また、上記少なくとも一つの画素を含み、垂直方向と同一な方向の黒垂直線または白垂直線が表示される場合に、各画素の画像信号データを各々に変換する段階によって、黒垂直線または白垂直線に隣接する左右側画素の画像信号データがシアンまたはマゼンタ傾向を帯びた画像信号データに変換されるようにしてもよい。
【００３３】
また、上記元来の画像信号データに再変換する段階によって、黒垂直線または白垂直線に対応する画素の画像信号データが元来の画像信号データに再変換されるようにしてもよい。
【００３４】
また、上記表示装置は、各副画素を定義する複数の行電極および複数の列電極をさらに含み、三つの副画素のうちの二つが同一な列電極に対応し、各画素が各画素別に３／２個の行電極に対応するようにしてもよい。
【００３５】
また、上記三つの副画素に配列される２個の列電極のうちの一つの列電極は、列方向に隣接する二つの副画素を通過するように配列され、残りの一つの列電極は、残りの副画素を通過するように配列されるようにしてもよい。
【００３６】
上記課題を解決するために、本発明の第３の観点によれば、複数の行電極、複数の行電極と交差する方向に形成される複数の列電極、および複数の行電極および複数の列電極によって各々に定義される複数の画素を含み、複数の画素の各々は、中心が三角形を形成する三つの副画素を含み、三角形の一辺が列電極がのびている第１方向である、表示パネルと、入力される画像信号データから複数の行電極および複数の列電極の駆動を制御する制御信号を生成する制御部と、制御信号によって複数の行電極および複数の列電極を駆動する駆動部と、を備え、制御部は、少なくとも一つの画素を含み、第１方向と同一な方向の黒垂直線が表示される場合に、黒垂直線に隣接する左右側画素の画像信号データをシアンまたはマゼンタ傾向を帯びた画像信号データに変換することを特徴とする、表示装置が提供される。
【００３７】
かかる構成によれば、制御部により黒垂直線または白垂直線に隣接する左右側画素の画像信号データがシアンまたはマゼンタ傾向を帯びた画像信号データに変換され、変換された画像信号データが駆動部を介して表示パネルに表示される。これにより、副画素間に互いに異なる配列が存在する場合でも、レンダリング処理による適切な補償がなされ、表示パネルに表示される文字の解読性を向上させることができる。
【００３８】
また、上記制御部は、黒垂直線に隣接する左側画素にシアン傾向を帯びた画像信号データおよびマゼンタ傾向を帯びた画像信号データが交互に配列されるように左側画素の画像信号データを変換し、黒垂直線に隣接する右側画素にマゼンタ傾向を帯びた画像信号データおよびシアン傾向を帯びた画像信号データが交互に配列されるように右側画素の画像信号データを変換するようにしてもよい。
【００３９】
また、上記制御部は、少なくとも一つの画素を含み、第１方向と同一な方向の白垂直線が表示される場合に、白垂直線に隣接する左右側画素の画像信号データをシアンまたはマゼンタ傾向を帯びた画像信号データに変換するようにしてもよい。
【００４０】
また、上記制御部は、白垂直線に隣接する左側画素にマゼンタ傾向を帯びた画像信号データおよびシアン傾向を帯びた画像信号データが交互に配列されるように左側画素の画像信号データを変換し、白垂直線に隣接する右側画素にシアン傾向を帯びた画像信号データおよびマゼンタ傾向を帯びた画像信号データが交互に配列されるように右側画素の画像信号データを変換するようにしてもよい。
【００４１】
また、上記制御部は、少なくとも一つの画素を含み、第１方向と交差する方向の黒水平線または白水平線が表示される場合に、黒水平線または白水平線に隣接する左側画素の画像信号データをマゼンタ傾向を帯びた画像信号データに変換し、黒水平線または白水平線に隣接する右側画素の画像信号データをシアン傾向を帯びた画像信号データに変換するようにしてもよい。
【００４２】
また、上記シアン傾向を帯びた画像信号データは、元来の画像信号データを基準として緑色副画素の画像信号データの変化量が赤色および青色副画素の画像信号データの変化量の平均より小さいようにしてもよい。
【００４３】
また、上記マゼンタ傾向を帯びた画像信号データは、元来の画像信号データを基準として緑色副画素の画像信号データの変化量が赤色および青色副画素の画像信号データの変化量の平均より大きいようにしてもよい。
【００４４】
また、上記制御部は、各画素別に隣接する左右側画素の画像信号データを反映して、各画素の画像信号データを各々に変換するレンダリング処理部と、入力される画像信号データを利用して、各画素別に三つの副画素間の分散である第１分散を計算し、レンダリング処理部によって変換された画像信号データを利用して、各画素別に副画素間の分散である第２分散を計算して、同一な画素間で第１分散および第２分散が同一である場合または第２分散が第１分散より小さい場合に、レンダリング処理部によって変換された画像信号データを元来の画像信号データに再変換するフィードバック処理部と、を備えるようにしてもよい。
【００４５】
また、上記フィードバック処理部によって、黒垂直線および白垂直線に対応する画素の画像信号データが元来の画像信号データに再変換されるようにしてもよい。
【００４６】
また、上記黒垂直線は、周辺の画素の明るさより暗い画素を含むようにしてもよい。
【００４７】
また、上記白垂直線は、周辺の画素の明るさより明るい画素を含むようにしてもよい。
【００４８】
また、上記三つの副画素うちの二つが同一な列電極に対応し、各画素が各画素別に３／２個の行電極に対応するようにしてもよい。
【００４９】
また、上記三つの副画素に配列される２個の列電極のうちの一つの列電極は、列方向に隣接する二つの副画素を通過するように配列され、残りの一つの列電極は、残りの副画素を通過するように配列されるようにしてもよい。
【００５０】
また、上記複数の画素が行方向に連続してｎ個配列され、列方向に連続してｎ個配列される場合に、複数の列電極の個数および複数の行電極の個数は、列電極の個数：行電極の個数＝４：３の比となるようにしてもよい。
【００５１】
また、上記各副画素は、平面形状が六角形であるようにしてもよい。
【００５２】
また、上記各副画素は、平面形状が長方形であるようにしてもよい。
【発明の効果】
【００５３】
本発明によれば、画素を構成する三つの副画素のうちの二つを同一なアドレス電極に対応させることによって、アドレス電極の個数を減少させることができる。これによって、高解像度パネルの製造時にアドレスに伴う消費電力の増加を抑制することができる。
【００５４】
そして、本発明によれば、黒垂直線または白垂直線に隣接する左右側画素の画像信号データをマゼンタまたはシアン傾向を帯びた画像信号データに変換させることによって、文字の視認性および解読性を向上させることができる。
【発明を実施するための最良の形態】
【００５５】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００５６】
明細書全体で、ある部分が他の部分に“連結”されているとする時、これは“直接連結”されている場合だけでなく、その中間に他の素子をおいて“電気的に連結”されている場合も意味する。また、ある部分がある構成要素を“含む”とする時、これは特に反対の意味の記載がない限り、他の構成要素を排除するのではなく、他の構成要素もさらに含むことを意味する。
【００５７】
図３は本発明の実施形態によるプラズマ表示装置の概略的な概念図である。
【００５８】
図３に示したように、本発明の実施形態によるプラズマ表示装置は、プラズマ表示パネル１００、制御部２００、アドレス電極駆動部３００、走査電極駆動部４００、および維持電極駆動部５００を含む。
【００５９】
プラズマ表示パネル１００は、行方向にのびていて、走査機能および表示機能を有する複数の行電極、および列方向にのびていて、アドレス機能を有する複数の列電極を含む。図３では、このような列電極をアドレス電極（Ａ１〜Ａｍ）として示し、行電極を互いに対をなす維持電極（Ｘ１〜Ｘｎ）および走査電極（Ｙ１〜Ｙｎ）として示した。一方、図３では、本発明の実施形態によるプラズマ表示パネル１００を概略的に示したが、より具体的な構成については、下記の図４〜図６の説明でより詳細に説明する。
【００６０】
制御部２００は、外部から画像信号データの印加を受けて、アドレス電極駆動制御信号、維持電極駆動制御信号、および走査電極駆動制御信号を出力し、一つのサブフィールドを各々の加重値を有する複数のサブフィールドに分割する。そして、各サブフィールドは、複数の放電セルから発光する放電セルを選択するアドレス期間、およびアドレス期間で発光する放電セルとして設定された放電セルを当該サブフィールドの加重値に対応する期間の間維持放電させる維持期間からなる。
【００６１】
アドレス電極駆動部３００は、制御部２００からアドレス電極駆動制御信号の印加を受けて、表示しようとする放電セルを選択するための表示データ信号をアドレス電極（Ａ１〜Ａｍ）に印加する。走査電極駆動部４００は、制御部２００から走査電極駆動制御信号の印加を受けて、走査電極（Ｙ１〜Ｙｎ）に駆動電圧を印加する。そして、維持電極駆動部５００は、制御部２００から維持電極駆動制御信号の印加を受けて、維持電極（Ｘ１〜Ｘｎ）に駆動電圧を印加する。
【００６２】
次に、図４〜図６を参照して、アドレス電極の個数を減少させる本発明の実施形態によるプラズマ表示パネルについて説明する。
【００６３】
図４は本発明の第１実施形態によるプラズマ表示パネル１００Ａを部分的に示した分解斜視図である。
【００６４】
図４に示したように、本発明の第１実施形態によるプラズマ表示パネル１００Ａは、赤色、緑色、青色の可視光を発生させる三つの副画素（ｓｕｂｐｉｘｅｌ）が三角形に配列されて一つの画素（ｐｉｘｅｌ）を形成する、いわゆるデルタ型プラズマ表示パネルである。
【００６５】
これをより具体的に説明すると、プラズマ表示パネルは、その間に任意の間隔をおいて実質的に平行に配列されて封入される背面基板１０および前面基板３０を含む。
【００６６】
この背面基板１０および前面基板３０の間には、所定の高さで任意のパターンで画素１２０を区画する隔壁２３が配列される。ここで、一つの画素１２０は、前記のように三角形に配列される三つの副画素１２０Ｒ、１２０Ｇ、１２０Ｂからなる。
【００６７】
この時、副画素１２０Ｒ、１２０Ｇ、１２０Ｂは、各々放電セル１８を含むが、この放電セル１８は、隔壁２３によって区画形成される。
【００６８】
本発明の第１実施形態において、各々の副画素１２０Ｒ、１２０Ｇ、１２０Ｂの平面形状はほぼ六角形であるので、この副画素１２０Ｒ、１２０Ｇ、１２０Ｂを区画形成する隔壁２３も、六角形に形成される。したがって、各副画素１２０Ｒ、１２０Ｇ、１２０Ｂに含まれる放電セル１８は、上部が開口された六角柱の形状に構成される。
【００６９】
この放電セル１８内には、プラズマ放電に必要なゼノン（Ｘｅ）、ネオン（Ｎｅ）などを含む放電ガスが充填されている。そして、赤色（Ｒ）、緑色（Ｇ）、および青色（Ｂ）の可視光を各々発生させる副画素１２０Ｒ、１２０Ｇ、１２０Ｂには、各々対応する赤色、緑色、青色の蛍光体層２５が各々形成される。この蛍光体層２５は、各放電セル１８の底面および隔壁２３の側面に形成される。
【００７０】
アドレス電極１５は、背面基板１０上で第１方向（図面のｙ軸方向）に沿って各々のびて形成され、第２方向（図面のｘ軸方向）に沿って平行に配列される。このアドレス電極１５は、各放電セル１８の下側（つまり、背面基板および隔壁が形成される層の間）を通過するように配列される。
【００７１】
そして、誘電層１２は、アドレス電極１５を覆って、背面基板１０の全面に形成される。つまり、アドレス電極１５は、隔壁２３が形成される層の下部に配列される。
【００７２】
また、維持電極３２および走査電極３４は、前面基板３０上で第２方向（図面のｘ軸方向）に沿って各々のびて形成される。この維持電極３２および走査電極３４は、各放電セル１８で互いに対応して放電ギャップを形成する。そして、維持電極３２および走査電極３４は、第１方向（図面のｙ軸方向）に沿って交互に配列される。
【００７３】
維持電極３２および走査電極３４の各々は、バス電極３２ａ、３４ａおよび透明電極３２ｂ、３４ｂを含む。バス電極３２ａ、３４ａは、前面基板３０に第２方向（図面のｘ軸方向）に沿ってのびて形成される。透明電極３２ｂ、３４ｂは、バス電極３２ａ、３４ａより広い幅に形成されて、第２方向（図面のｘ軸方向）に沿ってバス電極３２ａ、３４ａを覆っている。
【００７４】
このバス電極３２ａ、３４ａは、優れた通電性を有する金属材質からなることができる。バス電極３２ａ、３４ａは、プラズマ表示パネルの駆動時に放電セル１８で発生する可視光の遮蔽を最少化するために、通電性を確保することができる範囲内でその線幅を最少化して形成される。
【００７５】
そして、透明電極３２ｂ、３４ｂは、ＩＴＯ（インジウムスズ酸化物）のような透明な材質からなり、各バス電極３２ａ、３４ａと共に第２方向（図面のｘ軸方向）に沿ってのびて形成される。したがって、一つの放電セル１８内には、その間に任意の間隔をおいて一対の透明電極３２ｂ、３４ｂが対向配列される。
【００７６】
また、前面基板３０上には、維持電極３２および走査電極３４を覆って前面基板３０の全面に誘電層（図示せず）が形成され、その上にＭｇＯからなる保護膜（図示せず）が形成されることができる。
【００７７】
図５は本発明の第１実施形態によるプラズマ表示パネルの画素および電極の配列の一部分を示した平面図である。
【００７８】
図５を参照すれば、本発明の第１実施形態において、各画素１２０には、２個のアドレス電極１５が対応する。各画素１２０は、三つの副画素１２０Ｒ、１２０Ｇ、１２０Ｂから構成され、三つの副画素１２０Ｒ、１２０Ｇ、１２０Ｂは、赤色、緑色、青色の可視光を各々発生させる。
【００７９】
画素１２０を構成する副画素１２０Ｒ、１２０Ｇ、１２０Ｂの中心は、三角形に配列される。本発明の第１実施形態では、副画素１２０Ｒ、１２０Ｇ、１２０Ｂの中心が二等辺三角形に配列されている。また、画素１２０を構成する三つの放電セル１８、つまり副画素１２０Ｒ、１２０Ｇ、１２０Ｂのうちの二つの放電セル１８は、第１方向（図面のｙ軸方向）に隣接するように平行に配列される。このような配列は、第１方向（図面のｙ軸方向）の放電空間を増大させて、適切な放電空間を形成するので、マージンを向上させる効果がある。
【００８０】
また、一つの画素１２０を構成する三つの副画素１２０Ｒ、１２０Ｇ、１２０Ｂのうちの二つは同一なアドレス電極１５に対応する。そして、一つの画素１２０には、２個の走査電極３４が配列される。つまり、一つの画素１２０を構成する三つの副画素１２０Ｒ、１２０Ｇ、１２０Ｂの放電は、２個のアドレス電極１５および２個の走査電極３４によって決定される。
【００８１】
より具体的に説明すれば、各画素１２０に配列される２個のアドレス電極１５のうちの１個のアドレス電極１５は、第１方向（図面のｙ軸方向）に隣接する二つの副画素１２０Ｇ、１２０Ｂを通過するように配列され、残りの１個のアドレス電極は、残りの一つの副画素１２０Ｒを通過するように配列される。つまり、１個のアドレス電極１５に対応する二つの副画素１２０Ｇ、１２０Ｂは、互いに異なる色の可視光を発生させる蛍光体層２５を含む。
【００８２】
また、各画素１２０に配列される２個の走査電極３４のうちの１個の走査電極３４（Ｙｉ＋３）は、第２方向（図面のｘ軸方向）に隣接する二つの副画素１２０Ｒ、１２０Ｂを通過するように配列され、残りの１個の走査電極３４（Ｙｉ＋２）は、残りの一つの副画素１２０Ｇを通過するように配列される。つまり、１個の走査電極３４（Ｙｉ＋３）が配列される二つの副画素は、互いに異なる色の可視光を発生させる蛍光体層２５を含む。
【００８３】
走査電極３４および維持電極３２は、各放電セル１８に共に対応するため、一つの画素１２０には、２個の維持電極３２（Ｘｉ＋３およびＸｉ＋４）も配列される。この維持電極３２（Ｘｉ＋３、Ｘｉ＋４）および走査電極３４（Ｙｉ＋３、Ｙｉ＋２）は、一つの画素１２０で各々対向配列される。
【００８４】
画素１２０に対応する維持電極３２および走査電極３４の配列は、反復的に配列される画素１２０の選択によって前記のように設定されることもでき、前記とは異なって設定されることもできる。
【００８５】
本発明の第１実施形態において、各副画素１２０Ｒ、１２０Ｇ、１２０Ｂを構成する各放電セル１８は、六角形の平面形状に形成される。したがって、この放電セル１８は、６方向に辺によって境界を形成する。アドレス電極１５と同一な方向（図面のｙ軸方向）に沿って隣接する一対の放電セル１８の境界の延長線は、アドレス電極１５と交差する方向（図面のｘ軸方向）に沿って隣接する放電セル１８の中心を通過する。
【００８６】
本発明の第１実施形態では、一つの画素１２０を構成する三つの副画素１２０Ｒ、１２０Ｇ、１２０Ｂの中心が三角形に配列されているにもかかわらず、維持電極３２および走査電極３４は、直線形状に形成されている。それによって、維持電極３２および走査電極３４は、平面上で第２方向（図面のｘ軸方向）に沿って副画素１２０Ｒ、１２０Ｇ、１２０Ｂのうちの少なくとも一つの副画素を通過するように配列される。本発明の第１実施形態では、維持電極３２および走査電極３４の各々は、三つの副画素１２０Ｒ、１２０Ｇ、１２０Ｂのうちの二つの副画素を通過するように配列される。
【００８７】
走査電極３４（Ｙｉ＋３）は、一つの画素１２０で第２方向（図面のｘ軸方向）に隣接する二つの副画素１２０Ｒ、１２０Ｂを通過するので、二つの副画素１２０Ｒ、１２０Ｂに共通の電圧が印加され、残りの走査電極３４（Ｙｉ＋２）は、一つの画素１２０で一つの副画素１２０Ｇを通過するので、一つの副画素１２０Ｇに電圧が印加される。
【００８８】
維持電極３２は、走査電極３４に対向して配列されるため、維持電極３２（Ｘｉ＋４）は、走査電極３４（Ｙｉ＋３）に対向して一つの画素１２０で一つの副画素１２０Ｂを通過するので、一つの副画素１２０Ｂに電圧が印加される。残りの維持電極３２（Ｘｉ＋３）は、一つの画素１２０で残りの二つの副画素１２０Ｒ、１２０Ｇに対応して配列されるので、二つの副画素１２０Ｒ、１２０Ｇに共通の電圧が印加される。また、この維持電極３２（Ｘｉ＋３）は、第１方向（図面のｙ軸方向）に沿って走査電極３４（Ｙｉ＋３）および走査電極３４（Ｙｉ＋２）の間に配列される。
【００８９】
図５に示したように、第２方向（図面のｘ軸方向）に沿って４列の画素１２０が配列され、第１方向（図面のｙ軸方向）に沿って４行の画素１２０が配列される時、４×４＝１６個の画素１２０を通過する走査電極３４は６個であり、アドレス電極１５は８個である。つまり、各画素１２０当たり８／４＝２個のアドレス電極１５が対応し、６／４＝３／２個の走査電極３４が対応する。そして、走査電極と同様に、各画素１２０当たり３／２個の維持電極３２が対応する。
【００９０】
つまり、ｎ×ｎに配列された画素の配列において、各画素１２０別に２個のアドレス電極１５および３／２個の走査電極３４が対応する場合、アドレス電極１５および走査電極３４は、下記の数式１の比を満たす。ここで、ｎは横方向または縦方向に連続して配列される画素の個数を示す自然数である。
【００９１】
アドレス電極の個数：走査電極の個数＝４：３  ．．．（数式１）
【００９２】
これを、より具体的に見てみると、４×４に配列された画素の配列では総計１６個の画素１２０が配列される。この場合、アドレス電極１５は、各画素１２０列当たり２個ずつ対応するので、総計１６個の画素１２０に総計８個のアドレス電極１５（Ａｊ＋１〜Ａｊ＋８）が対応し、走査電極３４は、各画素１２０行当り３／２個ずつ対応するので、総計１６個の画素１２０に総計６個の走査電極３４（Ｙｉ＋１〜Ｙｉ＋６）が対応する。維持電極３２は、各画素１２０別に走査電極３４と同一に対応して、総計１６個の画素１２０に総計６個の維持電極３２（Ｘｉ＋１〜Ｘｉ＋６）が対応する。
【００９３】
この画素の配列において、同一なアドレス電極１５に対応する隣接する二つの副画素１２０Ｇ、１２０Ｂは、互いに異なる色の蛍光体層を含む。また、これに対応して、１個のアドレス電極１５には、互いに異なる色の蛍光体層を含む副画素１２０Ｒ、１２０Ｇ、１２０Ｂが全て対応する。
【００９４】
これを図１および図２に示した従来のプラズマ表示パネルと比較する時、４×４に配列された画素、つまり総計１６個の画素を考慮する場合、従来は１２個のアドレス電極が必要であったのに比べて、本発明の第１実施形態では、総計８個のアドレス電極だけが必要となる。したがって、本発明の第１実施形態は、同一な画素の個数を維持しつつ、アドレス電極の個数を減少させることができる。
【００９５】
つまり、第１実施形態によるプラズマ表示パネルでは、アドレス電極の個数が従来のアドレス電極の個数に比べて１／３減少するので、アドレス電極の端部の設計が容易である。それによって、アドレス電極の消費電力が従来に比べて１／３減少する。また、アドレス電極を制御するアドレス素子（一例として、Ｔａｐｅ  Ｃａｒｒｉｅｒ  Ｐａｃｋａｇｅ：ＴＣＰがある。）当たりのピークパワー（ｐｅａｋ  ｐｏｗｅｒ）が従来に比べて１／３減少する。
【００９６】
一方、従来は、総計４個の走査電極が必要であったのに比べて、本発明の第１実施形態では、総計６個の走査電極が必要となる。したがって、本発明の第１実施形態は、同一な画素の個数を維持しつつ、走査電極の個数を増加させる。
【００９７】
しかし、走査素子は、アドレス素子に比べて低価格であるので、走査素子が増加しても、アドレス素子が減少するので、パネルを駆動させる全体的な回路の価格を低下させることができる。
【００９８】
次に、本発明の第２実施形態によるプラズマ表示パネル１００Ｂについて説明する。本発明の第２実施形態によるプラズマ表示パネルは、第１実施形態とその構造および作用が類似しているので、重複する説明は省略する。
【００９９】
図６は本発明の第２実施形態によるプラズマ表示パネルの画素および電極の配列の一部分を示した平面図である。
【０１００】
図６を参照すれば、第２実施形態では、各副画素２２０Ｒ、２２０Ｇ、２２０Ｂを構成する放電セル２８は、長方形の平面形状に形成される。これは、放電セル２８の平面形状を多様に実現することができることを例示したものである。そして、本発明の第２実施形態でも、第１実施形態と同様に、一つの画素２２０を構成する副画素２２０Ｒ、２２０Ｇ、２２０Ｂの中心が三角形に配列されているので、アドレス電極１５の個数を減少させることができる。これによって、消費電力が低減される。
【０１０１】
下記の表１は、本発明の実施形態によるプラズマ表示パネルおよび他の比較例によるプラズマ表示パネルの各アドレス電極に連結されるＴＣＰの個数、その価格、走査電極に連結される走査端子の個数、走査端子に連結される走査素子の価格、および全体的な回路の価格を相対的に比較している。
【０１０２】
実施形態は、本発明の第１および２実施形態によるプラズマ表示パネルに解像度１９２０×１０８０（ＦＨＤ級）のデュアル駆動方式を適用した場合である。比較例１は、ストライプ型副画素配列のプラズマ表示パネルに解像度１９２０×１０８０（ＦＨＤ級）のデュアル駆動方式を適用した場合である。比較例２は、デルタ型副画素配列のプラズマ表示パネルに１９２０×１０８０（ＦＨＤ級）のデュアル駆動方式を適用した場合である。
【０１０３】
【表１】
2007323066.tif 000003
【０１０４】
表１に示したように、比較例１および比較例２の場合、アドレス電極に連結されるＴＣＰの個数は１２０個である。ＴＣＰの個数が増加すると、アドレス消費電力が増加し、隣接する放電セルとの距離が近くなる。このように隣接する放電セルの距離が近くなることによって、アドレス電極間のクロストークが増加し、それによって、消費電力もより増加する。
【０１０５】
これに比べて、実施形態の場合、アドレス電極に連結されるＴＣＰの個数が８０個であるので、比較例に比べて大幅に減少した。それによって、実施形態は、同一級の解像度を表示する例のうちでアドレス消費電力が最も少ない。
【０１０６】
また、実施形態の場合は、走査電極が連結される走査端子の個数が比較例の１０８０個に比べて１６２０個に増加した。この走査端子の個数の増加は、走査素子の価格を増加させる。しかし、走査素子の価格がＴＣＰの価格に比べて相対的に低いので、実施形態の全体的な回路の価格は比較例に比べて相対的に低い。
【０１０７】
一方、前記で説明した本発明の実施形態によるプラズマ表示パネルのように、一つの画素を構成する副画素の中心が三角形に形成される場合、アドレス電極の個数を減少させることができるが、文字などを表示する時に解読性が低下する問題が発生する。図１のような従来のプラズマ表示パネルの場合には、画素の構造、つまり一つの画素を構成する副画素の配列が常に同一であるが、前記で説明した本発明の実施形態のように副画素の中心が三角形に形成される場合、副画素間に互いに異なる配列が存在するようになる。このように副画素間に互いに異なる配列が存在する場合、適切な補償をしないと、文字の解読性が低下するようになる。
【０１０８】
特に、本発明の実施形態のようなプラズマ表示パネルは、一つの画素を構成する副画素（図５では１２０Ｒ、１２０Ｇ、１２０Ｂであり、図６では２２０Ｒ、２２０Ｇ、２２０Ｂである。）の中心が三角形を形成して、三角形の一辺がプラズマ表示パネルに表示される垂直線（つまり、アドレス電極がのびている方向）と同一な方向である。それによって、プラズマ表示パネルに文字の黒垂直線または白垂直線を表示する場合に、垂直線が規則的に緑色副画素に到達して、ジグザグに見えるようになる。
【０１０９】
以下では、前記のように副画素間に互いに異なる配列が存在する場合に文字の解読性が低下する問題を解決する方法について、図７〜図１２を参照して説明する。
【０１１０】
このような問題を解決するために、本発明の実施形態では、図７Ａおよび図８Ａに示したように、表示する文字の黒垂直線または白垂直線の左右側画素の画像信号データを元来の画像信号データより相対的にシアン（Ｃｙａｎ）（またはグリーン（Ｇｒｅｅｎ））傾向を帯びた画像信号データおよび相対的にマゼンタ（Ｍａｇｅｎｔａ）傾向を帯びた画像信号データに変換して、隣接する画素に交互に配列されるように画像を処理する。
【０１１１】
図７Ａは黒垂直線の場合の垂直線の左右側画素の画像信号データをシアンおよびマゼンタ傾向を帯びた画像信号データに変換して交互に配列する方法を概念的に示した図面であり、図８Ａは白垂直線の場合の垂直線の左右側画素の画像信号データをシアンおよびマゼンタ傾向を帯びた画像信号データに変換して交互に配列する方法を概念的に示した図面である。図７Ａおよび図８Ａで、斜線部分は黒色を表示する画素を示し、斜線が引かれていない部分は白色を表示する画素を示し、‘Ｍ’は元来の画像信号データからマゼンタ傾向を帯びた画像信号データに変換されたことを示し、‘Ｃ’は元来の画像信号データからシアン傾向を帯びた画像信号データに変換されたことを示す。
【０１１２】
図７Ａおよび図８Ａに示したように、本発明の実施形態では、黒垂直線または白垂直線の左右側画素の画像信号データを元来の画像信号データより相対的にシアン（Ｃ）およびマゼンタ（Ｍ）傾向を帯びた画像信号データに変換して、隣接する画素に交互に配列する。図７Ａに示したように、黒垂直線の左側画素の画像信号データを元来の画像信号データより相対的にマゼンタ（Ｍ）およびシアン傾向を帯びた画像信号データに変換して交互に配列し（つまり、垂直方向に沿ってＭ−Ｃ−Ｍ−Ｃに配列する。）、黒垂直線の右側画素の画像信号データを元来の画像信号データより相対的にシアン（Ｃ）およびマゼンタ（Ｍ）傾向を帯びた画像信号データに変換して交互に配列する（つまり、垂直方向に沿ってＣ−Ｍ−Ｃ−Ｍに配列する。）。一方、図７Ａでは、垂直線の左右側画素にマゼンタ（Ｍ）およびシアン（Ｃ）が交互に配列されることを示したが、垂直方向にマゼンタ（Ｍ）およびシアン（Ｃ）が交互に配列される一つの垂直線の左右側画素の画像信号データが、マゼンタ（Ｍ）およびマゼンタ（Ｍ）、またはシアン（Ｃ）およびシアン（Ｃ）のように配列されてもよい。図８Ａに示したように、白垂直線の場合も、黒垂直線と同様に、白垂直線に隣接する左右側画素の画像信号データを元来の画像信号データより相対的にマゼンタ（Ｍ）またはシアン（Ｃ）傾向を帯びた画像信号データに変換して配列する。そして、図８Ａでは、垂直線の左右側画素にマゼンタ（Ｍ）およびマゼンタ（Ｍ）、またはシアン（Ｃ）およびシアン（Ｃ）のように配列されることを示したが、垂直方向にマゼンタ（Ｍ）およびシアン（Ｃ）が交互に配列される一つの垂直線の左右側画素の画像信号データが、マゼンタ（Ｍ）およびシアン（Ｃ）、またはシアン（Ｃ）およびマゼンタ（Ｍ）のように配列されてもよい。
【０１１３】
一方、本発明の実施形態では、図７Ｂおよび図８Ｂに示したように、黒水平線または白水平線の左右側画素の画像信号データを元来の画像信号データより相対的にシアン（またはグリーン）傾向を帯びた画像信号データおよび相対的にマゼンタ傾向を帯びた画像信号データに変換して、隣接する画素に交互に配列するように画像を処理する。
【０１１４】
図７Ｂは黒水平線の場合の水平線の左右側画素の画像信号データをシアンおよびマゼンタ傾向を帯びた画像信号データに変換して交互に配列する方法を概念的に示した図面であり、図８Ｂは白水平線の場合の水平線の左右側画素の画像信号データをシアンおよびマゼンタ傾向を帯びた画像信号データに変換して交互に配列する方法を概念的に示した図面である。図７Ｂに示したように、黒水平線に隣接する左右側画素の画像信号データを元来の画像信号データから相対的にマゼンタ（Ｍ）傾向を帯びた画像信号データおよびシアン（Ｃ）傾向を帯びた画像信号データに変換して配列する。そして、図８Ｂに示したように、白水平線に隣接する左右側画素の画像信号データを元来の画像信号データから相対的にマゼンタ（Ｍ）傾向を帯びた画像信号データおよびシアン（Ｃ）傾向を帯びた画像信号データに変換して配列する。
【０１１５】
それでは、黒垂直線、白垂直線、黒水平線、および白水平線に隣接する左右側画素の元来の画像信号データをマゼンタまたはシアン傾向を帯びた画像信号データに変換する方法について、具体的に説明する。
【０１１６】
図９は図３の制御部の一部のブロック図であり、図１０は図５のようなプラズマ表示パネルの画素の構造で、各画素の配列を示した図面である。図１０で、Ｒ（ｉ、ｊ）、Ｇ（ｉ、ｊ）、Ｂ（ｉ、ｊ）は、ｉ番目の行およびｊ番目の列の画素（Ｐｉ、ｊ）における赤色、緑色、および青色副画素の画像信号データを各々示す。
【０１１７】
図９に示したように、制御部２００は、レンダリング処理部２１０およびフィードバック処理部２２０を含み、入力される画像信号データを逆ガンマ補正する場合には、逆ガンマ補正部（図示せず）をさらに含むことができる。
【０１１８】
レンダリング処理部２１０は、入力される画像信号データまたは逆ガンマ補正部で補正されたデータを利用して、一つの画素の左側または右側画素の画像信号データを所定の比率で混ぜてレンダリング（Ｒｅｎｄｅｒｉｎｇ）処理して、黒垂直線、白垂直線、黒水平線、および白水平線の左右側画素の画像信号データをマゼンタまたはシアン傾向を帯びた画像信号データに変換する。
【０１１９】
次に、レンダリング処理部２１０でレンダリング処理する方法について、より具体的に説明する。
【０１２０】
図１０のような画素の配列において、ｉ番目の行およびｊ番目の列の画素（Ｐｉ、ｊ）のＲ（ｉ、ｊ）、Ｇ（ｉ、ｊ）、Ｂ（ｉ、ｊ）は、各々下記の数式２〜数式４のような方式でレンダリング処理されて、Ｒ’（ｉ、ｊ）、Ｇ’（ｉ、ｊ）、Ｂ’（ｉ、ｊ）の画像信号データに変換される。
【０１２１】
Ｒ’（ｉ、ｊ）＝Ｒ（ｉ、ｊ）×ｍ／（ｍ＋ｎ）＋Ｒ（ｉ、ｊ＋１）×ｎ／（ｍ＋ｎ）  ．．．（数式２）
Ｇ’（ｉ、ｊ）＝Ｇ（ｉ、ｊ）×ｍ／（ｍ＋ｎ）＋Ｇ（ｉ、ｊ−１）×ｎ／（ｍ＋ｎ）  ．．．（数式３）
Ｂ’（ｉ、ｊ）＝Ｂ（ｉ、ｊ）×ｍ／（ｍ＋ｎ）＋Ｂ（ｉ、ｊ＋１）×ｎ／（ｍ＋ｎ）  ．．．（数式４）
【０１２２】
前記数式２〜４で、ｍはｎより大きい値を有し、各々隣接する副画素の影響を考慮して設定される値であって、最適の画像が表示されるように設定される。ここで、ｍがｎより大きい値であるので、変換された画像信号データは、その元来の画像信号データの影響を多く受けるようになる。
【０１２３】
数式２に示したように、変換された画像信号データであるＲ’（ｉ、ｊ）は、それ自身の画像信号データであるＲ（ｉ、ｊ）およびＲ（ｉ、ｊ＋１）が所定の比率で組合わされて変換される。つまり、Ｒ’（ｉ、ｊ）は、隣接するｊ＋１番目の列の赤色副画素の画像信号データであるＲ（ｉ、ｊ＋１）の影響を受ける。
【０１２４】
一方、数式３に示したように、変換された画像信号データであるＧ’（ｉ、ｊ）は、それ自身の画像信号データであるＧ（ｉ、ｊ）およびＧ（ｉ、ｊ−１）が所定の比率で組合わされて変換される。つまり、Ｒ’（ｉ、ｊ）とは異なって、Ｇ’（ｉ、ｊ）は、隣接するｊ−１番目の列の画素の緑色副画素の画像信号データであるＧ（ｉ、ｊ−１）の影響を受ける。
【０１２５】
そして、数式４に示したように、変換された画像信号データであるＢ’（ｉ、ｊ）は、それ自身の画像信号データであるＢ（ｉ、ｊ）およびＢ（ｉ、ｊ＋１）が所定の比率で組合わされて変換される。つまり、Ｂ’（ｉ、ｊ）も、隣接するｊ＋１番目の列の青色副画素の画像信号データであるＢ（ｉ、ｊ＋１）の影響を受ける。
【０１２６】
次に、ｉ＋１番目の行およびｊ番目の列の画素（Ｐｉ＋１、ｊ）のＲ（ｉ＋１、ｊ）、Ｇ（ｉ＋１、ｊ）、Ｂ（ｉ＋１、ｊ）は、各々下記の数式５〜数式７のような方式でレンダリング処理されて、Ｒ’（ｉ＋１、ｊ）、Ｇ’（ｉ＋１、ｊ）、Ｂ’（ｉ＋１、ｊ）の画像信号データに変換される。
【０１２７】
Ｒ’（ｉ＋１、ｊ）＝Ｒ（ｉ＋１、ｊ）×ｍ／（ｍ＋ｎ）＋Ｒ（ｉ＋１、ｊ−１）×ｎ／（ｍ＋ｎ）  ．．．（数式５）
Ｇ’（ｉ＋１、ｊ）＝Ｇ（ｉ＋１、ｊ）×ｍ／（ｍ＋ｎ）＋Ｇ（ｉ＋１、ｊ＋１）×ｎ／（ｍ＋ｎ）  ．．．（数式６）
Ｂ’（ｉ＋１、ｊ）＝Ｂ（ｉ＋１、ｊ）×ｍ／（ｍ＋ｎ）＋Ｂ（ｉ＋１、ｊ−１）×ｎ／（ｍ＋ｎ）  ．．．（数式７）
【０１２８】
前記数式５〜７でも、ｍはｎより大きい値を有し、各々隣接する副画素の影響を考慮して設定される値であって、最適の画像が表示されるように設定される。図１０を参照すれば、ｉ＋１番目の行の画素の副画素の配列は、ｉ番目の行の画素の副画素の配列とその順序が異なるので、数式５〜７に示したように、影響を与える周囲の副画素が変化する。
【０１２９】
数式５に示したように、変換された画像信号データであるＲ’（ｉ＋１、ｊ）は、それ自身の画像信号データであるＲ（ｉ＋１、ｊ）およびＲ（ｉ＋１、ｊ−１）が所定の比率で組合わされて変換される。つまり、Ｒ’（ｉ＋１、ｊ）は、隣接するｊ−１番目の列の赤色副画素の画像信号データであるＲ（ｉ＋１、ｊ−１）の影響を受ける。
【０１３０】
一方、数式６に示したように、変換された画像信号データであるＧ’（ｉ＋１、ｊ）は、それ自身の画像信号データであるＧ（ｉ＋１、ｊ）およびＧ（ｉ＋１、ｊ＋１）が所定の比率で組合わされて変換される。つまり、Ｒ’（ｉ＋１、ｊ）とは異なって、Ｇ’（ｉ＋１、ｊ）は、隣接するｊ＋１番目の列の画素の緑色副画素の画像信号データであるＧ（ｉ＋１、ｊ＋１）の影響を受ける。
【０１３１】
そして、数式７に示したように、変換された画像信号データであるＢ’（ｉ＋１、ｊ）は、それ自身の画像信号データであるＢ（ｉ＋１、ｊ）およびＢ（ｉ＋１、ｊ−１）が所定の比率で組合わされて変換される。つまり、Ｂ’（ｉ＋１、ｊ）も、隣接するｊ−１番目の列の青色副画素の画像信号データであるＢ（ｉ＋１、ｊ−１）の影響を受ける。
【０１３２】
図１１Ａおよび図１１Ｂは、各々所定の画像信号データに対して本発明の実施形態によるレンダリング方法を適用した例を示した図面である。図１１Ａは黒垂直線を表示する画像信号データに前記数式２〜７を適用した場合を示した図面であり、図１１Ｂは白垂直線を表示する画像信号データに前記数式２〜７を適用した場合を示した図面である。図１１Ａおよび図１１Ｂで、括弧内の値は、順に赤色副画素、緑色副画素、青色副画素の画像信号データを示す。そして数式２〜７は、ｍ＝２、ｎ＝１に仮定した場合である。そして、図１１Ａおよび図１１Ｂにおいて、Ｐｉ、ｊ−２、Ｐｉ＋１、ｊ−２、Ｐｉ、ｊ＋２、Ｐｉ＋１、ｊ＋２画素に対する変換された画像信号データは、隣接する画素によって決定されるので、便宜上示さなかった。
【０１３３】
図１１Ａを参照すれば、Ｐｉ、ｊ−１画素の画像信号データは、前記数式２〜４を適用すれば、Ｐｉ、ｊ−１＝（２５５、２５５、２５５）からＰ’ｉ、ｊ−１＝（１７０、２５５、１７０）に変換され、Ｐｉ＋１、ｊ＋１画素の画像信号データは、前記数式５〜７を適用すれば、Ｐｉ＋１、ｊ＋１＝（２５５、２５５、２５５）からＰ’ｉ＋１、ｊ＋１＝（１７０、２５５、１７０）に変換される。つまり、Ｐｉ、ｊ−１画素およびＰｉ＋１、ｊ＋１画素は、各々元来の画像信号データからシアン傾向を帯びた画像信号データに変換される。一般に、元来の画像信号データからシアン傾向を帯びた画像信号データに変換される場合には、赤色および青色副画素の画像信号データの変動量の平均（（ΔＲ＋ΔＢ）／２）が緑色副画素の画像信号データの変動量（ΔＧ）より大きい。言い換えると、赤色および青色副画素の画像信号データが減少したり緑色副画素の画像信号データが増加する場合に、元来の画像信号データがシアン傾向を帯びた画像信号データに変換される。Ｐｉ、ｊ−１画素およびＰｉ＋１、ｊ＋１画素は、元来の画像信号データより赤色および青色副画素の画像信号データが減少するので、シアン傾向を帯びた画像信号データに変換される。
【０１３４】
そして、Ｐｉ、ｊ＋１画素の画像信号データは、前記数式２〜４を適用すれば、Ｐｉ、ｊ＋１＝（２５５、２５５、２５５）からＰ’ｉ、ｊ＋１＝（２５５、１７０、２５５）に変換され、Ｐｉ＋１、ｊ−１画素の画像信号データは、前記数式５〜７を適用すれば、Ｐｉ＋１、ｊ−１＝（２５５、２５５、２５５）からＰ’ｉ＋１、ｊ−１＝（２５５、１７０、２５５）に変換される。つまり、Ｐｉ、ｊ＋１画素およびＰｉ＋１、ｊ−１画素は、各々元来の画像信号データからマゼンタ傾向を帯びた画像信号データに変換される。一般に、元来の画像信号データからマゼンタ傾向を帯びた画像信号データに変換される場合には、赤色および青色副画素の画像信号データの変動量の平均（（ΔＲ＋ΔＢ）／２）が緑色副画素の画像信号データの変動量（ΔＧ）より小さい。言い換えると、緑色副画素の画像信号データが減少したり赤色および青色副画素の画像信号データが増加する場合に、元来の画像信号データがマゼンタ傾向を帯びた画像信号データに変換される。Ｐｉ、ｊ＋１画素およびＰｉ＋１、ｊ−１画素は、元来の画像信号データより緑色副画素の画像信号データが減少するので、マゼンタ傾向を帯びた画像信号データに変換される。
【０１３５】
一方、Ｐｉ、ｊ画素の画像信号データは、前記数式２〜４を適用すれば、Ｐｉ、ｊ＝（０、０、０）からＰ’ｉ、ｊ＝（８５、８５、８５）に変換され、Ｐｉ＋１、ｊ画素の画像信号データは、前記数式５〜７を適用すれば、Ｐｉ＋１、ｊ＝（０、０、０）からＰ’ｉ＋１、ｊ＝（８５、８５、８５）に変換される。つまり、黒垂直線に対応するＰｉ、ｊおよびＰｉ＋１、ｊ画素の画像信号データは、色は変換されずに、輝度レベルだけが黒色から淡い黒色に変換される。
【０１３６】
図１１Ｂを参照すれば、Ｐｉ、ｊ−１画素の画像信号データは、前記数式２〜４を適用すれば、Ｐｉ、ｊ−１＝（０、０、０）からＰ’ｉ、ｊ−１＝（８５、０、８５）に変換され、Ｐｉ＋１、ｊ＋１画素の画像信号データは、前記数式５〜７を適用すれば、Ｐｉ＋１、ｊ＋１＝（０、０、０）からＰ’ｉ＋１、ｊ＋１＝（８５、０、８５）に変換される。つまり、Ｐｉ、ｊ−１画素およびＰｉ＋１、ｊ＋１画素は、各々元来の画像信号データからマゼンタ傾向を帯びた画像信号データに変換される。Ｐｉ、ｊ−１画素およびＰｉ＋１、ｊ＋１画素は、元来の画像信号データより赤色および青色副画素の画像信号データが増加するので、マゼンタ傾向を帯びた画像信号データに変換される。
【０１３７】
そして、Ｐｉ、ｊ＋１画素の画像信号データは、前記数式２〜４を適用すれば、Ｐｉ、ｊ＋１＝（０、０、０）からＰ’ｉ、ｊ＋１＝（０、８５、０）に変換され、Ｐｉ＋１、ｊ−１画素の画像信号データは、前記数式５〜７を適用すれば、Ｐｉ＋１、ｊ−１＝（０、０、０）からＰ’ｉ＋１、ｊ−１＝（０、８５、０）に変換される。つまり、Ｐｉ、ｊ＋１画素およびＰｉ＋１、ｊ−１画素は、各々元来の画像信号データからシアン傾向を帯びた画像信号データに変換される。Ｐｉ、ｊ＋１画素およびＰｉ＋１、ｊ−１画素は、元来の画像信号データより緑色副画素の画像信号データが増加するので、シアン傾向を帯びた画像信号データに変換される。
【０１３８】
一方、Ｐｉ、ｊ画素の画像信号データは、前記数式２〜４を適用すれば、Ｐｉ、ｊ＝（２５５、２５５、２５５）からＰ’ｉ、ｊ＝（１７０、１７０、１７０）に変換され、Ｐｉ＋１、ｊ画素の画像信号データは、前記数式５〜７を適用すれば、Ｐｉ＋１、ｊ＝（２５５、２５５、２５５）からＰ’ｉ＋１、ｊ＝（１７０、１７０、１７０）に変換される。つまり、白垂直線に対応するＰｉ、ｊおよびＰｉ＋１、ｊ画素の画像信号データは、色は変換されずに、輝度レベルだけが白色から暗い白色に変換される。
【０１３９】
図１１Ａおよび図１１Ｂに示したように、本発明の実施形態によるレンダリング方法を適用する場合、黒垂直線または白垂直線に隣接する左右側画素の画像信号データをマゼンタまたはシアン傾向を帯びた画像信号データに変換する。それによって、本発明の実施形態によるレンダリング方法を適用すれば、黒垂直線または白垂直線がジグザグ（ｚｉｇｚａｇ）に見えるのを解決することができる。
【０１４０】
しかし、本発明の実施形態によるレンダリング方法を適用した場合、黒垂直線に対応する画素は色は変換されないが、輝度レベルが淡い黒色に変換され、白垂直線に対応する画素も色は変換されないが、輝度レベルが暗い白色に変換される。これは、黒垂直線または白垂直線の視認性を低下させる。
【０１４１】
図９に示したフィードバック処理部２２０は、このような視認性の低下を解決するために、黒垂直線または白垂直線に対応する部分の画像信号データを元来の画像信号データに再変換する。ここで、フィードバック処理部２２０は、各画素の元来の画像信号データの分散および各画素の変換された画像信号データの分散を計算した後、分散の変化量によって変換された画像信号データを元来の画像信号データに再変換するかを判断する。つまり、フィードバック処理部２２０は、元来の画像信号データの分散および変換された画像信号データの分散が同一である場合または減少した場合には、変換された画像信号データを元来の画像信号データに再変換する。ここで、各画素の画像信号データの分散は、各画素の副画素（つまり、赤色、緑色、青色副画素）の画像信号データ間の分散を意味する。
【０１４２】
図１１Ａに示したように、レンダリング処理部２１０によって黒垂直線に対応する画素（つまり、Ｐｉ、ｊおよびＰｉ＋１、ｊ）の画像信号データはＰｉ、ｊ、Ｐｉ＋１、ｊ＝（０、０、０）からＰ’ｉ、ｊ、Ｐ’ｉ＋１、ｊ＝（８５、８５、８５）に変換される。ここで、（０、０、０）の分散は０であり、（８５、８５、８５）の分散も０であるので、Ｐｉ、ｊおよびＰｉ＋１、ｊ画素での分散の変化量は０である。したがって、図１２Ａに示したように、フィードバック処理部２２０によってＰ’ｉ、ｊ、Ｐ’ｉ＋１、ｊ＝（８５、８５、８５）はＰ’’ｉ、ｊ、Ｐ’’ｉ＋１、ｊ＝（０、０、０）に再変換される。そして、図１１Ａの残りの画素は、変換された画像信号データの分散が元来の画像信号データの分散より増加したので、図１２Ａに示したように、元来の画像信号データに再変換されない。
【０１４３】
そして、図１１Ｂおよび図１２Ｂを参照すれば、白垂直線に対応する画素（つまり、Ｐｉ、ｊおよびＰｉ＋１、ｊ）は、変換された画像信号データの分散（つまり、０である）および元来の画像信号データの分散（つまり、０である）が同一であるので、白垂直線に対応する画素の画像信号データは、変換された（１７０、１７０、１７０）から元来の画像信号データである（２５５、２５５、２５５）に再変換される。そして、図１１Ｂの残りの画素は、変換された画像信号データの分散が元来の画像信号データの分散より増加したので、図１２Ｂに示したように、元来の画像信号データに再変換されない。
【０１４４】
一方、フィードバック処理部２２０は、分散の変化量によって加重値を設定して、レンダリング処理部２１０によって変換された画像信号データおよび元来の画像信号データを混ぜて使用することができる。
【０１４５】
図１２Ａは図１１Ａのような画像信号データに対する最終画像信号データを示した図面であり、図１２Ｂは図１１Ｂのような画像信号データに対する最終画像信号データを示した図面である。図１２Ａに示したように、図１１Ａのような画像信号データでは、黒垂直線の周囲の画素にシアンおよびマゼンタ（Ｍ）が交互に配列される。そして、図１２Ｂに示したように、図１１Ｂのような画像信号データでは、白垂直線の周囲の画素にマゼンタおよびシアンが交互に配列される。つまり、前記で説明したレンダリング処理部２１０およびフィードバック処理部２２０によって、図７Ａおよび図８Ａのように画像信号データが変換される。
【０１４６】
一方、黒水平線の場合および白水平線の場合についても、レンダリング処理部２１０による前記数式２〜７の処理および前記フィードバック処理部２２０の処理を適用すれば、図７Ｂおよび図８Ｂのように画像信号データが変換される。
【０１４７】
このようにレンダリング処理部２１０およびフィードバック処理部２２０によって処理された画像信号データは、第１および第２実施形態のプラズマ表示パネルのように副画素の中心が三角形に形成される構造でも、垂直線がジグザグに見える現象を防止することができる。それによって、文字の視認性および解読性などを向上させることができる。
【０１４８】
一方、本発明の実施形態では、副画素の中心が三角形に形成される構造のプラズマ表示パネルを含むプラズマ表示装置で、文字の視認性および解読性を向上させる画像処理方法について説明したが、本発明は、副画素の中心が三角形に形成される構造の他の表示装置（例えば、液晶表示装置（ＬＣＤ：Ｌｉｑｕｉｄ  Ｃｒｙｓｔａｌ  Ｄｉｓｐｌａｙ）、電界放出装置（ＦＥＤ：Ｆｉｅｌｄ  Ｅｍｉｓｓｉｏｎ  Ｄｉｓｐｌａｙ）など）にも同様に適用される。
【０１４９】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【０１５０】
【図１】従来のプラズマ表示パネルの画素および電極の配列の一部分を示した平面図である。
【図２】従来のプラズマ表示パネルの画素および電極の配列の一部分を示した平面図である。
【図３】本発明の実施形態によるプラズマ表示装置の概略的な概念図である。
【図４】本発明の第１実施形態によるプラズマ表示パネルを部分的に示した分解斜視図である。
【図５】本発明の第１実施形態によるプラズマ表示パネルの画素および電極の配列の一部分を示した平面図である。
【図６】本発明の第２実施形態によるプラズマ表示パネルの画素および電極の配列の一部分を示した平面図である。
【図７Ａ】黒垂直線の場合に、垂直線の左右側画素の画像信号データをシアンおよびマゼンタ傾向を帯びた画像信号データに変換して交互に配列する方法を概念的に示した図である。
【図７Ｂ】黒水平線の場合に、水平線の左右側画素の画像信号データをシアンおよびマゼンタ傾向を帯びた画像信号データに変換して交互に配列する方法を概念的に示した図である。
【図８Ａ】白垂直線の場合に、垂直線の左右側画素の画像信号データをシアンおよびマゼンタ傾向を帯びた画像信号データに変換して交互に配列する方法を概念的に示した図である。
【図８Ｂ】白水平線の場合に、水平線の左右側画素の画像信号データをシアンおよびマゼンタ傾向を帯びた画像信号データに変換して交互に配列する方法を概念的に示した図である。
【図９】図３の制御部の一部のブロック図である。
【図１０】図５のようなプラズマ表示パネルの画素の構造で、各画素の配列を示した図である。
【図１１Ａ】所定の画像信号データに対して本発明の実施形態によるレンダリング方法を適用した例を示した図である。
【図１１Ｂ】所定の画像信号データに対して本発明の実施形態によるレンダリング方法を適用した例を示した図である。
【図１２Ａ】図１１Ａのような画像信号データに対する最終画像信号データを示した図である。
【図１２Ｂ】図１１Ｂのような画像信号データに対する最終画像信号データを示した図である。
【符号の説明】
【０１５１】
１０    背面基板
１２    誘電層
１５    アドレス電極
１８    放電セル
２３    隔壁
２５    蛍光体層
３０    前面基板
３２    維持電極
３４    走査電極
３２ａ、３４ａ    バス電極
３２ｂ、３４ｂ    透明電極
１００    プラズマ表示パネル
１２０    画素
２００    制御部
２１０    レンダリング処理部
２２０    フィードバック処理部
３００    アドレス電極駆動部
４００    走査電極駆動部
５００    維持電極駆動部
【図１】
2007323066.tif 000004
【図２】
2007323066.tif 000005
【図３】
2007323066.tif 000006
【図４】
2007323066.tif 000007
【図５】
2007323066.tif 000008
【図６】
2007323066.tif 000009
【図７Ａ】
2007323066.tif 000010
【図７Ｂ】
2007323066.tif 000011
【図８Ａ】
2007323066.tif 000012
【図８Ｂ】
2007323066.tif 000013
【図９】
2007323066.tif 000014
【図１０】
2007323066.tif 000015
【図１１Ａ】
2007323066.tif 000016
【図１１Ｂ】
2007323066.tif 000017
【図１２Ａ】
2007323066.tif 000018
【図１２Ｂ】
2007323066.tif 000019